(57)【要約】床を有する車両のための車両座席は、乗員使用位置と、収容位置と、出入り位置と、を有する。この座席は、車両床（２６）に回転可能に連結されたライザ（２２）と、ライザ（２２）に回転可能に接続された背もたれと、背もたれに回転可能に連結されたクッションと、を含む。座席が乗員使用位置から出入り位置へ移動される時、背もたれ（１４）はライザ（２２）に対して固定されたままであり、座席が乗員使用位置から収容位置へ移動される時、ライザは車両床（２６）に対して固定されたままである。
2004525819.tif 000002
【特許請求の範囲】
【請求項１】
床を有する車両のための車両座席であって、
車両床に回転可能に接続されたライザと、
ライザに回転可能に接続された背もたれと、
背もたれに回転可能に接続された上部部材と、
上部部材および車両床に回転可能に接続された前部脚と、
を備え、
上部部材はライザに直接接続されていない、車両座席。
【請求項２】
座席は乗員使用位置および収容位置を有し、座席が乗員使用位置から収容位置へ移動される時、ライザは車両床に対して固定されたままである、請求項１に記載の車両座席。
【請求項３】
背もたれおよびライザを互いに固定するように構成された収容ラッチをさらに備える、請求項２に記載の車両座席。
【請求項４】
収容ラッチを解放し、背もたれを上部部材の上へ前方向に回転させることによって座席を収容位置に配置することができる、請求項３に記載の車両座席。
【請求項５】
座席は乗員使用位置および出入り位置を有し、座席が乗員使用位置から出入り位置へ移動される時、背もたれはライザに対して固定されたままである、請求項１に記載の車両座席。
【請求項６】
ライザおよび車両床を互いに固定するように構成された出入り機構をさらに備える、請求項５に記載の車両座席。
【請求項７】
出入り機構を解放し、座席を前方向に回転させることによって座席を出入り位置に配置することができる、請求項６に記載の車両座席。
【請求項８】
座席は第２列の座席であり、車両は２より多くの列の座席を含む、請求項１に記載の車両座席。
【請求項９】
車両はスポーツ・ユーティリティ・ビークルである、請求項８に記載の車両座席。
【請求項１０】
車両床に連結され、前部脚と、ライザと、上部部材と、背もたれと、を有する、車両のための車両座席であって、
上部部材と前部脚とを接続する第１のピボットと、
前部脚と車両床とを接続する第２のピボットと、
車両床とライザとを接続する第３のピボットと、
ライザと背もたれとを接続する第４のピボットと、
背もたれと上部部材とを接続する第５のピボットと、
を備える、車両座席。
【請求項１１】
座席は乗員使用位置および収容位置を有し、座席が乗員使用位置から収容位置へ移動される時、ライザは車両床に対して固定されたままである、請求項１０に記載の車両座席。
【請求項１２】
第５のピボットは第４のピボットより上に配置され、それによって、背もたれが乗員使用位置から収容位置へ移動される時に上部部材を前方向に移動させる、請求項１１に記載の車両座席。
【請求項１３】
第１のピボットは第２のピボットの前方に配置され、それによって、背もたれが乗員使用位置から収容位置へ移動される時に第１のピボットが下方に移動する、請求項１１に記載の車両座席。
【請求項１４】
座席が収容位置にある時、背もたれは水平に配置される、請求項１３に記載の車両座席。
【請求項１５】
座席は乗員使用位置および出入り位置を有し、座席が乗員使用位置から出入り位置へ移動される時、背もたれはライザに対して固定されたままである、請求項１０に記載の車両座席。
【請求項１６】
背もたれおよびライザを互いに固定するように構成された収容ラッチをさらに備える、請求項１０に記載の車両座席。
【請求項１７】
収容ラッチを解放し、背もたれを上部部材の上へ前方向に回転させることによって座席を収容位置に配置することができる、請求項１６に記載の車両座席。
【請求項１８】
ライザおよび車両床を互いに固定するように構成された出入り機構をさらに備える、請求項１０に記載の車両座席。
【請求項１９】
出入り機構を解放し、座席を前方向に回転させることによって座席を出入り位置に配置することができる、請求項１８に記載の車両座席。
【請求項２０】
第２のピボットと第３のピボットの間の距離が第１のピボットと第５のピボットの間の距離よりも実質的に小さくなるようにライザは後方向に傾斜している、請求項１０に記載の車両座席。
【請求項２１】
座席は第２列の座席であり、車両は２より多くの列の座席を含む、請求項１０に記載の車両座席。
【請求項２２】
車両はスポーツ・ユーティリティ・ビークルである、請求項２１に記載の車両座席。
【請求項２３】
車両床に連結され、乗員使用位置と、収容位置と、出入り位置と、を有する車両座席であって、
車両床に回転可能に連結されたライザと、
ライザに回転可能に連結された背もたれと、
背もたれに回転可能に連結されたクッションと、
を備え、
座席が乗員使用位置から出入り位置へ移動される時、背もたれはライザに対して固定されたままであり、さらに、座席が乗員使用位置から収容位置へ移動される時、ライザは車両床に対して固定されたままである、車両座席。
【請求項２４】
乗員使用位置、収容位置および出入り位置にある時、ライザは床に連結されたままである、請求項２３に記載の車両座席。
【請求項２５】
背もたれが乗員使用位置から収容位置へ移動される時、背もたれが上部部材を前方向に移動させる、請求項２３に記載の車両座席。
【請求項２６】
背もたれおよびライザを互いに固定するように構成された収容ラッチをさらに備える、請求項２３に記載の車両座席。
【請求項２７】
収容ラッチを解放し、背もたれをクッションの上へ前方向に回転させることによって座席を収容位置に配置することができる、請求項２６に記載の車両座席。
【請求項２８】
ライザおよび車両床を互いに固定するように構成された出入り機構をさらに備える、請求項２３に記載の車両座席。
【請求項２９】
出入り機構を解放し、座席を前方向に回転させることによって座席を出入り位置に配置することができる、請求項２８に記載の車両座席。
【請求項３０】
座席が収容位置にある時、背もたれは水平に配置される、請求項２３に記載の車両座席。
【請求項３１】
ライザが背もたれに連結される回転位置の前方に配置された回転位置でライザが車両床に連結される、請求項２３に記載の車両座席。
【発明の詳細な説明】
【技術分野】
【０００１】
本明細書は、車両座席に関する。さらに詳しくは、本明細書は、収容および出入りの両方の機能を有する４本のバーの車両座席に関する。
【背景技術】
【０００２】
車両座席、特にスポーツ・ユーティリティ・ビークル（スポーツ汎用車）およびバン等の第３列の座席を有する車両の第２列に使用される車両座席は通常、折り畳み、スライドまたは前方への回転によって第３列の座席内に容易に入ることが可能となるように設計されている。さらに、車両座席はまた、背もたれが前方に折り畳まれることによって、かさばる荷物を収納するためのより大きな車両内スペースを作り出す収容位置を有していることが望ましい。
【０００３】
従来の車両座席は通常、２つの方法の内いずれかで次列への容易な出入りが可能となるように設計されている。第１に、出入りを可能とするために背もたれが前方に折り畳まれ、且つトラック上で座席が前方位置に移動されてより大きな空間が作られるように、座席をトラックに取り付け、背もたれを座席クッションに回転可能に取り付けることが可能である。この種の座席は通常ダンプ式座席と呼ばれている。第２に、後部脚を解放し、座席全体を回転可能に取り付けられた前部脚を中心に前方へ回転させることによってより大きな出入り用空間が作られるように、従来の座席は車両の床に解放可能に取り付けられた後部脚を有することができる。この種の機構を有する座席は従来、折り畳み回転式座席と呼ばれている。
【０００４】
上述した出入り機能に使用される従来の設計には以下のような欠点がある。座席がトラックに取り付けられ、これらのトラック上で前方にスライドした場合、トラックの後部が車両床上に残るため、車両に出入りする乗員がつまずく危険性があると共に、美的にも不快なものとなる。床の取り付け具は、所定の場所に留まっていることで乗員の妨害となり、一般的に不体裁であるため、解放可能な後部脚を有する折り畳み回転式座席には同様の欠点が生ずる。さらに、トラックと後部脚および関連する床取り付け具の両方が、座席がドライブ位置にある時に次列に座っている乗客の脚を伸ばせる空間の妨げとなる。さらに、解放可能な後部脚を有する座席は通常、乗客が車両を出入りする際に危害が与えられ、または妨害されることのないように、座席が前方に回転する時に自動的に脚を引き込む機構を必要とする。座席のフレーム内に自動的に後部脚を引き込むために必要な装備のために車両座席の製造コストが増大する。さらに、従来の座席を邪魔にならない所に移動させて出入りを可能にするためには２つのステップが要求され得る。即ち、第１は背もたれを前方に折り畳むことであり、第２は座席を前方にスライドさせる、または後部脚の解放後に座席を回転させることである。さらに、トラックに取り付けられるダンプ式座席は、持ち上げ移動せずに前方スライドした後に座席クッションの後部が車両の床と同じ高さのままとなるため、出入りに十分な大きさの開口を作れない場合がある。
【０００５】
従来の座席は収容または実用位置が可能となるように設計することもできる。車両座席を収容位置に配置するために使用される従来の機構は、背もたれとクッションとの間にピボットを含み、これによって背もたれをクッション上で本質的に横たわった位置に折り重ねることでより大きな荷物用空間を作ることができる。他の従来の方法は上述したような解放可能な後部脚を含むことによって、座席全体を車両の床内の凹部または穴の中に前方回転して入れることができる。第３の従来の方式は、背もたれをまず座席クッション上に折り重ねた後に車両内の穴内に座席全体を回転させる四本棒（４つのバーの）座席機構を使用することを含む。
【０００６】
収容位置を作るために使用される従来の機構には以下のような欠点がある。背もたれを収納のためにクッション上に折り畳むように設計し、クッション自体は何らかの方法で移動しないようにした場合、背もたれの装飾（布張り）およびパッド（詰め物）とクッションのために、背もたれを本質的に水平な位置に折り畳まれるように設計することは困難である。この問題を回避するため、装飾およびパッドを実質的に少なくして背もたれを設計することができるが、それによって乗員の快適性が犠牲となる。さらに、上述したように、解放可能な後部脚を有する座席はより高価であり、後部脚の解放後床取り付け具が残存するため、車両内の乗員および荷物収納の妨害となっていた。さらに、収容位置内に折り曲がる四本棒型座席は収容位置を有する実用的な機能を果たすが、乗員に車両の出入りを可能とさせる位置に移動する第２の機能を含んでいない場合がある。
【０００７】
従って、収容位置と乗員の出入りを可能にする位置との両方を有する車両座席であって、費用効果があり、収容または出入り位置にある場合に車両の床上に不体裁で危険なハード・ウェアを残さず、次列の乗員の脚を伸ばせる空間の妨害となるトラックまたは後部脚を有さず、車両の容易な出入りを可能にする十分な空間を作り出し、座席を出入り位置または収容位置に配置するために複数のステップを必要としない車両座席が必要とされている。
【０００８】
以下の内容は、上記の要求の１つ以上を満たすか否かに関わらず、添付された請求の範囲内に含まれる実施の形態に及ぶものである。
【０００９】
（発明の開示）
典型的な実施の形態は床を有する車両のための車両座席に関する。この座席は、車両床に回転可能に接続されたライザと、ライザに回転可能に接続された背もたれと、背もたれに回転可能に接続された上部部材と、上部部材および車両床に回転可能に接続された前部脚と、を含む。上部部材はライザに直接接続されない。
【００１０】
他の典型的な実施の形態は、車両床に連結され、前部脚と、ライザと、上部部材と、背もたれと、を有する車両座席に関する。車両座席は、上部部材と前部脚とを接続する第１のピボットと、前部脚と車両床とを接続する第２のピボットと、車両床とライザとを接続する第３のピボットと、ライザと背もたれとを接続する第４のピボットと、背もたれと上部部材とを接続する第５のピボットと、を含む。
【００１１】
さらに、典型的な実施の形態は、車両床に連結され、乗員使用位置と、収容位置と、出入り位置と、を有する車両座席に関する。この車両座席は、車両床に回転可能に連結されたライザと、ライザに回転可能に連結された背もたれと、背もたれに回転可能に連結されたクッションとを含む。座席が乗員使用位置から出入り位置へ移動される時、背もたれはライザに対して固定されたままとなる。さらに、座席が乗員使用位置から収容位置へ移動される時、ライザは車両床に対して固定されたままとなる。
【発明を実施するための最良の形態】
【００１２】
本発明は、添付の図面を伴った以下の詳細な説明からよりよく理解することができる。図面において、同様の参照番号により同様の要素を示す。
【００１３】
図１を参照すると、車両座席１０の構造フレームは、クッションフレーム１２と背もたれフレーム１４とを含む。クッションフレーム１２および背もたれ１４を支持しているのは四本棒リンケージ１６として示される支持構造である。２つの四本棒リンケージ１６を使用して車両座席１０を支持することができる。
【００１４】
図２を参照すると、四本棒リンケージ１６は、前部脚２０として示される前部部材と、後部部材１５と、上部部材２４と、床２６として示される下部部材と、を含む。
【００１５】
四本棒リンケージ１６の後部部材１５は、ライザ２２および背もたれ１４を含む。背もたれ１４はライザ２２に対して回転可能に固定されることによって組み合わされて後部部材１５として機能することができる。後部部材１５を作り出すライザ２２と背もたれ１４との組み合わせは、ライザ２２および背もたれ１４が互いに固定されながら座席１０が前方に回転する動きの際、四本棒リンケージ１６の動きと連動する。
【００１６】
四本棒リンケージ１６を機能的に作り出すために、上部部材２４と前部脚２０とが前方上部ピボット３０で回転可能に連結され、前部脚２０と床２６とが前方下部ピボット３２で回転可能に連結され、床２６と（ライザ２２を介した）後部部材１５とが後方下部ピボット３４で回転可能に連結され、（背もたれ１４を介した）後部部材１５と上部部材２４とが後方上部ピボット３６で回転可能に連結される。
【００１７】
さらに図２を参照すると、ライザ２２は背もたれピボット３８で背もたれ１４と回転可能に連結されている。従って、背もたれ１４は上部部材２４およびライザ２２の両方に回転可能に連結されているが、ライザ２２は上部部材２４に連結されていない。
【００１８】
さらに図２を参照すると、背もたれ１４およびライザ２２は収容ラッチ４０として示されるラッチによって互いに回転可能に固定されている。さらに、ライザ２２は出入り機構４２として示されるラッチによって床２６に対して回転可能に固定されている。解放時、収容ラッチ４０は背もたれ１４とライザ２２の間の回転運動を可能にする。解放時、出入り機構４２は、後方下部ピボット３４でライザ２２と床２６の間の回転運動を可能にする。
【００１９】
ライザ２２は、前方上部ピボット３０と後方上部ピボット３６の間の横方向距離と相対的に後方下部ピボット３４が前方下部ピボット３２に近接して配置されるように構成されている。これを達成するため、ライザ２２は湾曲し、前部脚２０よりも実質的に長くなっている。
【００２０】
図３および図４を参照すると、次列の座席への容易な出入りを可能にするために、座席１０を前方に回転させることができる。出入り位置を実現するためには、出入り機構４２を解放することによって、ライザ２２を前方に（図１乃至６に示された方向では左側に）回転することができる。座席１０が車両内で前方に回転する際、背もたれ１４はライザ２２に対するその元の位置を維持する。座席１０が前方に移動する際、上部部材２４、前部脚２０およびライザ２２は互いおよび床２６を基準にして回転しながら前方に移動する。四本棒リンケージ１６によって可能となる座席１０の移動の程度は、車両構造またはライザ２２内の制限機構によって可能となる前部脚２０の下方向の動きの程度によって制限するようにしても良い。
【００２１】
図５および図６を参照すると、座席１０を収容位置に置いて、荷物を収納するためにより大きな車両内空間を可能にするようにしてもよい。収容位置を実現するためには、ライザ２２を基準として背もたれ１４を前方に回転させる。背もたれ１４が背もたれピボット３８を中心としてライザ２２を基準に回転することができるようにするために、まず収容ラッチ４０が解放される。背もたれ１４が前方に折り畳まれる際、ライザ２２および床２６は固定されたままとなる。しかし、上部部材２４は後方上部ピボット３６で背もたれ１４に連結されているため、背もたれ１４は上部部材２４を前方に移動させ、それによって前方下部ピボット３２を中心として（図６の方向で見た場合）時計と反対方向に前部脚２０が連動する。それに応じて、背もたれ１４が車両内で前方に回転する際、前方上部ピボット３０が前方（図６の方向で見た場合左側に）および下方に移動し、その結果クッションフレーム１２が乗員使用位置（図１参照）と比較して収容位置（図５参照）においてより低い最終的な位置に置かれる。背もたれ１４の回転時における上部部材２４の移動によって、背もたれ１４が単にライザ２２を基準として回転し、同時に上部部材２４を前方および下方に動かさない場合と比較して背もたれ１４をさらに折り畳むことが可能となる。
【００２２】
再び図１および図２を参照すると、乗員使用位置において、後方下部ピボット３４が前方下部ピボット３４に近接して配置された状態でライザ２２が構成されているため、座席１０は座席１０の後に座っている乗員の脚を伸ばせる空間を広くすることができる。この構造は、クッションフレーム１２の後部から垂直に下降する後方下部脚を有し、または床２６上に配置されたレールを有し、第３列の座席の乗員の脚を伸ばせる空間を妨害する従来の車両座席と対照を成している。
【００２３】
図１乃至６に示された上記の車両座席１０を、大型のスポーツ・ユーティリティ・ビークルまたはバン等の第３列の座席を有する車両において第２列の座席として使用しても良い。他の典型的な実施の形態において、座席１０を前列座席として使用しても良い。
【００２４】
再び図３および図４を参照すると、床２６からライザ２２を解放せずに、座席１０を出入り位置に配置することができる。さらに、後方下部ピボット３４が前方下部ピボット３２に近接して配置されているため、座席１０を従来の座席の場合のようにトラック上に取り付ける必要なく十分な出入り空間が作られる。さらに、トラックまたは解放可能な後部脚の床取り付け具をなくした結果、障害物のない出入り通路となって、車両の床上の設備が出入りする乗客を妨害することがなくなる。さらに、出入り機構４２を解放し、それによって四本棒リンケージ１６を使用して座席１０を前方に回転させることによって、１回の動きで座席１０を出入り位置に配置することが可能となる。
【００２５】
再び図５および図６を参照すると、収容ラッチ４０を解放し、それによって背もたれ１４をクッションフレーム１２上に前方へ回転させることによって、１回の作動で座席１０を収容位置に配置することができる。背もたれ１４が収容位置に回転する際に背もたれ１４が上部部材２４および前部脚２０を前方および下方に移動させるため、背もたれ１４の最終的な水平位置を犠牲とすることなく、背もたれ１４およびクッションフレーム１２の両方の厚みを増すことができる。従って、ここに記載された機構を有していない従来の座席と比較して、座席１０はより多くのクッション材料およびパッドを有することによってより大きな支持および快適性を提供することができる。
【００２６】
従来の座席機構とは対照的に、四本棒リンケージ１６および付加的な背もたれピボット３８のために、車両座席１０は出入り位置と収容実用位置との両方に対応する。
【００２７】
詳細な図面および取り上げた具体例は典型的な実施の形態を記載したものであり、例示の目的を果たしたに過ぎない。図示および説明された構成は、座席１０が使用される車両の特性に応じて異なってもよい。図示および説明された座席は開示された正確な細部に限定されない。さらに、添付された請求の範囲に示された本発明の範囲から逸脱しない範囲で、典型的な実施の形態の設計、作動条件および配置を他に置き換え、修正、変更、省略してもよい。
【図面の簡単な説明】
【００２８】
【図１】図１は、乗員使用位置にある車両座席の等角図である。
【図２】図２は、乗員使用位置にある車両座席の側面図である。
【図３】図３は、出入り位置にある車両座席の等角図である。
【図４】図４は、出入り位置にある車両座席の側面図である。
【図５】図５は、収容位置にある車両座席の等角図である。
【図６】図６は、収容位置にある車両座席の側面図である。
【国際公開パンフレット】
2004525819.tif 000003
2004525819.tif 000004
2004525819.tif 000005
2004525819.tif 000006
2004525819.tif 000007
2004525819.tif 000008
2004525819.tif 000009
2004525819.tif 000010
2004525819.tif 000011
2004525819.tif 000012
2004525819.tif 000013
2004525819.tif 000014
2004525819.tif 000015
2004525819.tif 000016
2004525819.tif 000017
2004525819.tif 000018
2004525819.tif 000019
2004525819.tif 000020
2004525819.tif 000021
2004525819.tif 000022
【手続補正書】
【提出日】平成15年7月7日(2003.7.7)
【手続補正１】
【補正対象書類名】特許請求の範囲
【補正対象項目名】全文
【補正方法】変更
【補正の内容】
【特許請求の範囲】
【請求項１】
床を有する車両のための車両座席であって、座席は乗員使用位置および出入り位置を有し、
車両床に回転可能に接続されるように適合したライザと、
ライザに回転可能に接続された背もたれと、
背もたれに回転可能に接続された上部部材と、
上部部材に回転可能に接続され、旋回心軸として働く車両床への接続に適合した前部脚と、
ライザおよび車両床を互いに固定するように構成された出入り機構であって、出入り機構を解放し、座席を前方向に回転させることによって座席を出入り位置に配置することができる出入り機構と、
を備え、
上部部材はライザに直接接続されず、座席が乗員使用位置から出入り位置へ移動される時、背もたれはライザに対して固定されたままである、車両座席。
【請求項２】
座席は収容位置を有し、座席が乗員使用位置から収容位置へ移動される時、ライザは静止したままである、請求項１に記載の車両座席。
【請求項３】
床を有する車両のための車両座席であって、
車両床に回転可能に連結されるように適合したライザと、
ライザに回転可能に接続された背もたれと、
背もたれに回転可能に接続され、ライザに直接接続されない上部部材と、
上部部材に回転可能に接続され、旋回心軸として働く車両床への接続に適合した前部脚と、
背もたれおよびライザを互いに固定するように構成された収容ラッチと、
を備える、車両座席。
【請求項４】
収容ラッチを解放し、背もたれを上部部材の上へ前方向に回転させることによって座席を収容位置に配置することができる、請求項３に記載の車両座席。
【請求項５】
座席は２より多くの列の座席を含む車両の第２列の座席に適合する、請求項１に記載の車両座席。
【請求項６】
車両床に連結され、前部脚と、ライザと、上部部材と、背もたれと、を有する、車両のための車両座席であって、
上部部材と前部脚とを接続する第１のピボットと、
前部脚と車両床とを接続するように適合した第２のピボットと、
車両床とライザとを接続するように適合した第３のピボットと、
ライザと背もたれとを接続する第４のピボットと、
背もたれと上部部材とを接続する第５のピボットと、
ライザおよび車両床を互いに固定するように構成された出入り機構であって、出入り機構を解放し、座席を前方向に回転させることによって座席を出入り位置に配置することができる出入り機構と、
を備え、
座席は乗員使用位置および収容位置を有し、座席が乗員使用位置から収容位置へ移動される時、ライザは静止したままである、車両座席。
【請求項７】
第５のピボットは第４のピボットより上に配置され、それによって、背もたれが乗員使用位置から収容位置へ移動される時に上部部材を前方向に移動させる、請求項６に記載の車両座席。
【請求項８】
第１のピボットは第２のピボットの前方に配置され、それによって、背もたれが乗員使用位置から収容位置へ移動される時に第１のピボットが下方に移動する、請求項６に記載の車両座席。
【請求項９】
座席が収容位置にある時、背もたれは水平に配置される、請求項８に記載の車両座席。
【請求項１０】
座席は乗員使用位置および出入り位置を有し、座席が乗員使用位置から出入り位置へ移動される時、背もたれはライザに対して固定されたままである、請求項６に記載の車両座席。
【請求項１１】
車両床に連結され、前部脚と、ライザと、上部部材と、背もたれと、を有する、車両のための車両座席であって、
上部部材と前部脚とを接続する第１のピボットと、
前部脚と車両床とを接続する第２のピボットと、
車両床とライザとを接続する第３のピボットと、
ライザと背もたれとを接続する第４のピボットと、
背もたれと上部部材とを接続する第５のピボットと、
背もたれおよびライザを互いに固定するように構成された収容ラッチと、
を備える、車両座席。
【請求項１２】
収容ラッチを解放し、背もたれを上部部材の上へ前方向に回転させることによって座席を収容位置に配置することができる、請求項１１に記載の車両座席。
【請求項１３】
第２のピボットと第３のピボットの間の距離が第１のピボットと第５のピボットの間の距離よりも実質的に小さくなるようにライザは後方向に傾斜している、請求項６に記載の車両座席。
【請求項１４】
座席は２より多くの列の座席を含む車両の第２列の座席に適合する、請求項６に記載の車両座席。
【請求項１５】
車両床に連結され、乗員使用位置と、収容位置と、出入り位置と、を有する車両座席であって、
車両床に回転可能に連結されるように適合したライザと、
ライザに回転可能に連結された背もたれと、
背もたれに回転可能に連結されたクッションと、
ライザおよび車両床を互いに固定するように構成された出入り機構であって、出入り機構を解放し、座席を前方向に回転させることによって座席を出入り位置に配置することができる出入り機構と、
を備え、
座席が乗員使用位置から出入り位置へ移動される時、背もたれはライザに対して固定されたままであり、さらに、座席が乗員使用位置から収容位置へ移動される時、ライザは静止したままである、車両座席。
【請求項１６】
乗員使用位置、収容位置および出入り位置にある時、ライザは床に連結されたままである、請求項１５に記載の車両座席。
【請求項１７】
背もたれが乗員使用位置から収容位置へ移動される時、背もたれが上部部材を前方向に移動させる、請求項１５に記載の車両座席。
【請求項１８】
車両床に連結され、乗員使用位置と、収容位置と、出入り位置と、を有する車両座席であって、
車両床に回転可能に連結されるように適合したライザと、
ライザに回転可能に連結された背もたれと、
背もたれに回転可能に連結されたクッションと、
背もたれおよびライザを互いに固定するように構成された収容ラッチと、
を備え、
座席が乗員使用位置から出入り位置へ移動される時、背もたれはライザに対して固定されたままであり、さらに、座席が乗員使用位置から収容位置へ移動される時、ライザは静止したままである、車両座席。
【請求項１９】
収容ラッチを解放し、背もたれをクッションの上へ前方向に回転させることによって座席を収容位置に配置することができる、請求項１８に記載の車両座席。
【請求項２０】
座席が収容位置にある時、背もたれは水平に配置される、請求項１５に記載の車両座席。
【請求項２１】
ライザが背もたれに連結される回転位置の前方に配置された回転位置でライザが車両床に連結されるように適合した、請求項１５に記載の車両座席。
【国際調査報告】
2004525819.tif 000023
2004525819.tif 000024